(57)【要約】【課題】例えば結束バンド、結束紐等で物品を結束した後であっても、容易かつ確実に取り付けることができ、取り付けた後も再利用可能な非接触データキャリア装置、非接触データキャリア装置付き結束体及びその付設方法を提供する。【解決手段】非接触データキャリア装置１には、非接触データキャリア６が、貫通穴４を有する非接触データキャリア担持体３に担持されている。貫通穴４は、貫通方向（Ｙ１⇔Ｙ２）に奥行きのある内壁面を有し、この内壁面には脱落防止用の爪部が設けられている。【選択図】図１
2008021080.tif 000002
【特許請求の範囲】
【請求項１】
非接触データキャリアと、
前記非接触データキャリアを担持する第１の部位と、前記担持された非接触データキャリアに干渉しない位置に設けられた貫通穴を有する第２の部位とを備え、前記第２の部位の貫通穴に挿通可能な所定の部材が分離した非接触データキャリア担持体とを具備し、
前記非接触データキャリア担持体の貫通穴が、該貫通穴に挿通可能な所定の部材を挿通し脱落を防ぐ構成を有することを特徴とする非接触データキャリア装置。
【請求項２】
前記貫通穴の内壁面に、爪部を少なくともひとつ有することを特徴とする請求項１に記載の非接触データキャリア装置。
【請求項３】
前記非接触データキャリアが、そのアンテナ面と前記非接触データキャリア担持体の前記貫通穴の貫通方向がほぼ平行になるように前記非接触データキャリア担持体に担持されていることを特徴とする請求項１又は２に記載の非接触データキャリア装置。
【請求項４】
前記非接触データキャリア担持体の被着対象物側の表面と前記担持された非接触データキャリアのアンテナ面との距離が１．５ｍｍ以上であることを特徴とする請求項３に記載の非接触データキャリア装置。
【請求項５】
前記非接触データキャリアが、そのアンテナ面と前記非接触データキャリア担持体の前記貫通穴の貫通方向がほぼ垂直となるように前記非接触データキャリア担持体に担持されることを特徴とする請求項１又は２に記載の非接触データキャリア装置。
【請求項６】
前記非接触データキャリア担持体の前記第１の部位と前記第２の部位とが別の部材であり、該両部材が互いに可動可能な関係で結合されていることを特徴とする請求項１又は２に記載の非接触データキャリア装置。
【請求項７】
前記非接触データキャリア担持体の前記第１の部位が、前記非接触データキャリアを保持するための凹部と、該凹部に前記非接触データキャリアが保持されたときに該非接触データキャリアの脱落を防止する凸部とを有することを特徴とする請求項１又は２に記載の非接触データキャリア装置。
【請求項８】
前記非接触データキャリア担持体の前記第２の部位の前記貫通穴が、その内壁面に貫通穴に挿通された棒状または糸状の部材が逆方向に進行することを妨げる球状体または円柱体を有することを特徴とする請求項１に記載の非接触データキャリア装置。
【請求項９】
前記非接触データキャリア担持体の前記第２の部位の前記貫通穴に、脱着自在な蓋体を設けて貫通穴を溝状に露出する構造とし、貫通穴の蓋体と対向する側の壁面に凸状部を設け、該貫通穴に挿通可能な所定の部材を挿通して蓋体を付設し、部材の脱落を防ぐ構造を有することを特徴とする請求項１に記載の非接触データキャリア装置。
【請求項１０】
前記非接触データキャリア担持体が、少なくとも前記第２の部位で弾性変形する材料からなることを特徴とする請求項１に記載の非接触データキャリア装置。
【請求項１１】
前記非接触データキャリア担持体の前記第２の部位の前記貫通穴が、該第２の部位が弾性変形していないとき、断面形状としてほぼ円形であることを特徴とする請求項１０に記載の非接触データキャリア装置。
【請求項１２】
前記非接触データキャリア担持体の前記第２の部位の前記貫通穴が、該第２の部位が弾性変形していないとき、断面形状として楕円状もしくは長円形であることを特徴とする請求項１０に記載の非接触データキャリア装置。
【請求項１３】
前記非接触データキャリア担持体の前記第１の部位が、前記第２の部位からの突起部であることを特徴とする請求項３乃至５のいずれか１項に記載の非接触データキャリア装置。
【請求項１４】
前記非接触データキャリア担持体の貫通穴が、貫通方向を互いに平行になるように複数設けられることを特徴とする請求項１に記載の非接触データキャリア装置。
【請求項１５】
前記非接触データキャリア担持体に担持された非接触データキャリアのアンテナ面とほぼ平行になるように、軟磁性体層をさらに具備することを特徴とする請求項１に記載の非接触データキャリア装置。
【請求項１６】
結束対象物を束ね、可撓性を有するバンド部の一方の端部に係止部を設けた結束バンドにて結束した結束体と、
前記結束バンドのバンド部を挿通可能な貫通穴を有し、前記バンド部の開放端部を前記貫通穴に挿通して付設した非接触データキャリア装置と
を具備することを特徴とする非接触データキャリア装置付き結束体。
【請求項１７】
結束対象物を束ね、可撓性を有するバンド部の一方の端部に係止部を設けた結束バンドにて結束する結束工程と、
前記結束した結束バンドの開放端部を、非接触データキャリア装置の貫通穴に挿通して該装置を付設する付設工程と
を有することを特徴とする結束体への非接触データキャリア装置の付設方法。
【発明の詳細な説明】
【技術分野】
【０００１】
本発明は、保持されたデータを非接触で読み出し可能な非接触データキャリアを備えた非接触データキャリア装置、非接触データキャリア装置付き結束体及びその付設方法に関する。
【背景技術】
【０００２】
近年、物品のタグ情報のキャリアとしてＩＣチップを使用した非接触データキャリア（例えばＩＣタグ、無線タグ、ＲＦＩＤ等とも言う。）が使用されている。非接触データキャリアの主たる構成要素は、データを保持するＩＣチップと、このＩＣチップに接続されたアンテナである。このような非接触データキャリアを、各種物品の結束に使用される結束バンドのバンド部に埋め込み一体化したものが提案されている（例えば、特許文献１参照）。また、非接触データキャリアをクリップと組み合わせて使用可能にしたものも提案されている（例えば、特許文献２参照）。
【０００３】
しかしながら、特許文献１に記載された非接触データキャリアは、結束バンドが用済みで切断されると、結束バンドとともに廃棄され再利用が難しい。特許文献２に記載された非接触データキャリアはクリップを具備するので小型化が難しく、非接触データキャリアとして用途が限定されると考えられる。なお、特許文献３には、結束バンドの係止部の近傍に非接触データキャリアを保持したものが記載されているが、非接触データキャリアの脱落防止を考慮した適切な構成までは開示、示唆されていない。また、これらの特許文献には、結束バンド等で物品を結束した後に非接触データキャリアを付設する方法や、それに適した装置について開示、示唆されていない。
【特許文献１】実登３１１０９６５号公報
【特許文献２】特開２００５−２１６２７５号公報
【特許文献３】特開２００４−１１２８８６号公報
【発明の開示】
【発明が解決しようとする課題】
【０００４】
本発明の目的は、このような課題に対処するためになされたもので、例えば結束バンド、結束紐等で物品を結束した後であっても、容易かつ確実に取り付けることができ、取り付けた後も再利用可能な非接触データキャリア装置、非接触データキャリア装置付き結束体及びその付設方法を提供することにある。
【課題を解決するための手段】
【０００５】
本発明の非接触データキャリア装置は、非接触データキャリアと、前記非接触データキャリアを担持する第１の部位と、前記担持された非接触データキャリアに干渉しない位置に設けられた貫通穴を有する第２の部位とを備え、前記第２の部位の貫通穴に挿通可能な所定の部材が分離した非接触データキャリア担持体とを具備し、前記非接触データキャリア担持体の貫通穴が、該貫通穴に挿通可能な所定の部材を挿通し脱落を防ぐ構成を有することを特徴とする。
【０００６】
すなわち、非接触データキャリアが、貫通穴を有する非接触データキャリア担持体に担持されている。非接触データキャリア担持体において、非接触データキャリアを担持する部位を第１の部位とし、貫通穴を有する部位を第２の部位とする。貫通穴は、例えば所定の結束紐、結束バンドなどの挿入可能な部材を挿通した場合に、この挿通方向とは逆方向の進行を妨げて非接触データキャリア装置の脱落を防止する構成を有している。これにより、結束バンド等で物品を結束した後であっても、非接触データキャリア装置の取り付けが、例えば結束バンド等の開放端部（露出しており挿通可能な状態にあるバンド部の端部を意味し、例えば結束バンドの係止部で固定されたバンド部の固定位置から先のバンド部分）を貫通穴に挿通することで容易に実現でき、挿通した後の非接触データキャリア装置の脱落を防止することができる。取り外す場合には、貫通穴に挿通された結束バンド等を切断することで離脱することができ、非接触データキャリア装置の再利用を可能にする。なお、ここで言う挿通とは、貫通穴に部材を挿入して通すことを意味するが、挿通した状態は、例えば貫通穴の一面に蓋体を設け、蓋体を外して貫通穴を溝状に露出し、この溝に結束紐等を押し込み蓋体を閉じることでも実現できる。
【０００７】
また、本発明に係る非接触データキャリア装置は、前記貫通穴の内壁面に、爪部を少なくともひとつ有することを特徴とする。
これによれば、例えば結束バンド、結束紐、ロープなどを挿通方向の一方向に挿通させる爪部を貫通穴の内壁面に設けることで、この爪部が挿通方向とは逆方向への進行を妨げて非接触データキャリア装置の脱落を防止できる。
【０００８】
また、本発明に係る非接触データキャリア装置は、前記非接触データキャリアが、そのアンテナ面と前記非接触データキャリア担持体の前記貫通穴の貫通方向がほぼ平行になるように前記非接触データキャリア担持体に担持されていることを特徴とする。
これによれば、非接触データキャリアと貫通穴の貫通方向とを上記位置関係にすることで、非接触データキャリアの姿勢を一定化し、通信性能を確保することができる。なお、ここでいう貫通方向とは、非接触データキャリア担持体の向かい合う２つの側面を貫通して形成された２つの開口面の重心を通る線方向を意味する。
【０００９】
また、本発明に係る非接触データキャリア装置は、前記非接触データキャリア担持体の被着対象物側の表面と前記担持された非接触データキャリアのアンテナ面との距離が１．５ｍｍ以上であることを特徴とする。
これによれば、非接触データキャリア担持体の被着対象物側（結束対象物側）の表面と非接触データキャリアのアンテナ面との間に所定の距離を設けることで、結束対象物が金属等から構成される場合に、通信性能の劣化を防止できる。
【００１０】
また、本発明に係る非接触データキャリア装置は、前記非接触データキャリアが、そのアンテナ面と前記非接触データキャリア担持体の前記貫通穴の貫通方向がほぼ垂直となるように前記非接触データキャリア担持体に担持されることを特徴とする。
これによれば、非接触データキャリアと貫通穴の貫通方向とを上記位置関係にすることで、非接触データキャリアの姿勢を一定化し、アンテナ面に対して垂直方向の通信性能を確保することができる。
【００１１】
また、本発明に係る非接触データキャリア装置は、前記非接触データキャリア担持体の前記第１の部位と前記第２の部位とが別の部材であり、該両部材が互いに可動可能な関係で結合されていることを特徴とする。
これによれば、通信性能の確保の点では、可動可能な第１の部位が、非接触データキャリアの姿勢を制限しないことが利点になる。
【００１２】
また、本発明に係る非接触データキャリア装置は、前記非接触データキャリア担持体の前記第１の部位が、前記非接触データキャリアを保持するための凹部と、該凹部に前記非接触データキャリアが保持されたときに該非接触データキャリアの脱落を防止する凸部とを有することを特徴とする。
これによれば、第１の部位の凹部に非接触データキャリアが担持されるため、その姿勢が一定化し通信性能を確保できる。また、１種類の非接触データキャリアに対し、種々のサイズの結束バンドに対応した形状の非接触データキャリア担持体を用意することで、非接触データキャリア自体は共通の仕様とすることができ、量産上有利である。
【００１３】
また、本発明に係る非接触データキャリア装置は、前記非接触データキャリア担持体の前記第２の部位の前記貫通穴が、その内壁面に貫通穴に挿通された棒状または糸状の部材が逆方向に進行することを妨げる球状体または円柱体を有することを特徴とする。
これによれば、バンド部表面が平滑な結束バンド等の棒状の部材や、結束紐、ロープ等の糸状の部材であっても容易かつ確実に固定して、非接触データキャリア装置の脱落を防止した状態で取り付けができ、取り付けても再利用が可能である。
【００１４】
また、本発明に係る非接触データキャリア装置は、前記非接触データキャリア担持体の前記第２の部位の前記貫通穴に、脱着自在な蓋体を設けて貫通穴を溝状に露出する構造とし、貫通穴の蓋体と対向する側の壁面に凸状部を設け、該貫通穴に挿通可能な所定の部材を挿通して蓋体を付設し、部材の脱落を防ぐ構造を有することを特徴とする。
これによれば、貫通穴の蓋体と対向する側の内壁面に凸状部を設けることで、非接触データキャリア装置の脱落を防止できる。
【００１５】
また、本発明に係る非接触データキャリア装置は、前記非接触データキャリア担持体が、少なくとも前記第２の部位で弾性変形する材料からなることを特徴とする。
これによれば、多様な形状の結束バンド、結束紐等に対して容易かつ確実に脱落を防止した状態で取り付けができ、取り付けても再利用が可能である点で上記態様と同じである。
【００１６】
また、本発明に係る非接触データキャリア装置は、前記非接触データキャリア担持体の前記第２の部位の前記貫通穴が、該第２の部位が弾性変形していないとき、断面形状としてほぼ円形であることを特徴とする。
これによれば、貫通穴を有する第２の部位の弾性変形時に平たい部材を貫通穴に挿通でき、その後、弾性変形を解除してこの非接触データキャリア装置の上記部材からの脱落を防止できる。
【００１７】
また、本発明に係る非接触データキャリア装置は、前記非接触データキャリア担持体の前記第２の部位の前記貫通穴が、該第２の部位が弾性変形していないとき、断面形状として楕円状もしくは長円形であることを特徴とする。
これによれば、楕円状が円状になるように弾性変形させて厚みのある部材を貫通穴に挿通でき、その後、弾性変形を解除してこの非接触データキャリア装置の上記部材からの脱落を防止できる。
【００１８】
また、本発明に係る非接触データキャリア装置は、前記非接触データキャリア担持体の前記第１の部位が、前記第２の部位からの突起部であることを特徴とする。
これによれば、それぞれ独自の機能を有する第１の部位、第２の部位を用途に応じてより自由に形状設計できる。
【００１９】
また、本発明に係る非接触データキャリア装置は、前記非接触データキャリア担持体の貫通穴が、貫通方向を互いに平行になるように複数設けられることを特徴とする。
これによれば、例えば結束バンドなどに取り付ける際の自由度を高めることができる。複数設けられた貫通穴は、その貫通方向が互いに平行になるように配置することができる。このような構成によれば、例えば結束バンドに取り付ける場合に、バンド幅の異なる各種結束バンドに適用することができる。
【００２０】
また、本発明に係る非接触データキャリア装置は、前記非接触データキャリア担持体に担持された非接触データキャリアとほぼ平行になるように、軟磁性体層をさらに具備することを特徴とする。
これによれば、結束対象物が導電体で構成されていても、交信時における結束対象物側での渦電流の発生が抑制され、非接触データキャリア装置側とリーダライタ側との良好な通信を維持できる。
【００２１】
また、本発明に係る非接触データキャリア装置付き結束体は、結束対象物を束ね、可撓性を有するバンド部の一方の端部に係止部を設けた結束バンドにて結束した結束体と、前記結束バンドのバンド部を挿通可能な貫通穴を有し、前記バンド部の開放端部を前記貫通穴に挿通して付設した非接触データキャリア装置とを具備することを特徴とする。
これによれば、結束バンドで結束対象物を結束した後であっても、容易かつ確実に非接触データキャリアを取り付けることができ、取り付けた後も再利用を可能にする。なお、ここで言う開放端部とは、露出しており挿通可能な状態にあるバンドの端部を意味し、例えば、結束バンドの係止部で固定されたバンドの固定位置から先のバンド部分をいう。
【００２２】
また、本発明に係る結束体への非接触データキャリア装置の付設方法は、結束対象物を束ね、可撓性を有するバンド部の一方の端部に係止部を設けた結束バンドにて結束する結束工程と、前記結束した結束バンドの開放端部を、非接触データキャリア装置の貫通穴に挿通して該装置を付設する付設工程とを有することを特徴とする。
これによれば、結束バンドで結束対象物を結束した後であっても、容易かつ確実に非接触データキャリアを取り付けることができ、取り付けた後も再利用を可能にする。
【発明の効果】
【００２３】
本発明によれば、例えば結束バンド、結束紐等で物品を結束した後であっても、容易かつ確実に取り付けることができ、取り付けた後も再利用可能な非接触データキャリア装置、非接触データキャリア装置付き結束体及びその付設方法を提供することができる。
【発明を実施するための最良の形態】
【００２４】
以下、本発明の実施形態を図面を参照しながら説明する。図１は本発明の一実施形態に係る非接触データキャリア装置の構成を模式的に示す斜視図である。この非接触データキャリア装置１は、非接触データキャリア６（図２、図３参照）と、非接触データキャリア６を担持する非接触データキャリア担持体３から構成されている。非接触データキャリア６は、ＩＣチップ２と、このＩＣチップ２が実装されアンテナパターンを備えた基板５（図２、図３参照）から構成される。
【００２５】
図１に示すように、非接触データキャリア担持体３は底面、上面及びそれらの面を連結する４つの側面を有するほぼ直方体である。非接触データキャリア担持体３の上面には、非接触データキャリア６が、接着剤等で接着固定されており、その向かい合う２つの側面を貫通方向（Ｙ１⇔Ｙ２の方向）に貫いた矩形状断面の開口面を有する貫通穴４が設けられている。非接触データキャリア担持体３は、貫通穴４に挿通可能な所定のバンド部等の部材が分離しており、これら部材と一体となっていない。非接触データキャリア担持体３は、例えばポリアミド樹脂、ポリプロピレン樹脂等の合成樹脂を射出成形することによって得られる。その形状は、図１に示すような略直方体に限定されず、非接触データキャリア６の形状に応じて円柱、角柱、球形等の種々の形状でもよい。
【００２６】
非接触データキャリア６は、そのアンテナ面と貫通穴４の貫通方向とがほぼ平行になるように非接触データキャリア担持体３に担持されている。
【００２７】
ここで、非接触データキャリア６の構成を図２と図３を参照して説明する。図２は、図１中に示す非接触データキャリア６の構造の一例を示す分解斜視図である。図３は、図２に示す非接触データキャリア６の断面図である。図２では、各配線層の接続関係を把握し易くするために、実際よりも巻回数を少なくして図示の簡略化を図っている。実際のアンテナパターンの巻回数は、必要とされるインダクタンス値や設計にもよるが、例えば９巻き程度である。また、ここでは、４層のアンテナパターンで構成された多層構造の基板５を示すが、基板５は、例えば４層以外の層数で構成される構造でも、単数で構成された構造でもよい。
【００２８】
図２に示すように、非接触データキャリア６は、複数の層に各々設けられたアンテナパターン６２、７２、８２、９２どうしを層間接続して構成されている。すなわち、非接触データキャリア６は、ほぼ正方形の絶縁基板の一方の主面（アンテナ面）に渦巻状のアンテナパターンを含めた配線層を持つ４つの単位アンテナ基板６０、７０、８０、９０が絶縁層を介して積層一体化されている。なお、このうち単位アンテナ基板９０は、説明の都合上仮想したものであり、実際には図３に示すようにアンテナパターン９２の下側に絶縁層（絶縁基板）はない。
【００２９】
図２と図３に示すように、各配線層には、第１配線層から順に、渦巻状のアンテナパターン６２、７２、８２、９２が形成されている。各アンテナパターン６２、７２、８２、９２は、１つの内側端６２ａ、７２ａ、８２ａ、９２ａと、１つの外側端６２ｂ、７２ｂ、８２ｂ、９２ｂを内包している。内側端６２ａ、７２ａ、８２ａ、９２ａには、それぞれ、１つの内側接続端子６６a、７３、８３、９３が接続されている。外側端６２ｂ、７２ｂ、８２ｂ、９２ｂには、それぞれ、１つの外側接続端子６４、７４、８４、９４が接続されている。内側接続端子６６a、７３、８３、９３は、アンテナパターンの渦巻きの内側に設けられ、互いに層間接続される配線層の内側端子どうしが同じ位置に重なるように配置されている。各内側接続端子６６a、７３、８３、９３には、複数ある貫通スルーホール５５ａ、５５ｂのうちの１つのみが導通するように形成されている。外側接続端子６４、７４、８４、９４は、単位アンテナ基板６０、７０、８０、９０の四隅の１つに設けられ、互いに層間接続される配線層の外側端子どうしが同じ位置になるように設けられている。各外側接続端子６４、７４、８４、９４には、複数ある貫通スルーホール５６ａ、５６ｂのうちの１つのみが導通するように形成されている。
【００３０】
また、各配線層の四隅のうちの二箇所の隅には、スルーホールが設けられていないほぼ直角二等辺三角形状の配線領域６９ａ、６９ｂ、７９ａ、７９ｂ、８９ａ、８９ｂ、９９ａ、９９ｂが形成されている。これらは、渦巻き状のアンテナパターンと一体化されているが、アンテナの構成要素としてはあってもなくてもよいダミーパターンである。
【００３１】
図２に示すように、第１配線層のアンテナパターン６２と第２配線層のアンテナパターン７２とは、その渦巻きの外側端において、外側接続端子６４、７４と導通したスルーホール５６ｂを介して接続されている。第２配線層のアンテナパターン７２と第３配線層のアンテナパターン８２とは、その渦巻きの内側端において、内側接続端子７３、８３と導通したスルーホール５５ａを介して互いに接続されている。第３配線層のアンテナパターン８２と第４配線層のアンテナパターン９２とは、その渦巻きの外側端において、外側接続端子８４、９４と導通したスルーホール５６ａを介して互いに接続されている。第４配線層のアンテナパターン９２と第１配線層のアンテナパターン６２とは、その渦巻きの内側端において、内側接続端子９３、６３と導通したスルーホール５５ｂを介して互いに接続されている。
【００３２】
すなわち、各アンテナパターン６２、７２、８２、９２は、これらの接続端子及び層間接続導体を介して、図２に示すように、電気的に直列に接続され、第１配線層（最上層）に両端子を有する単一のアンテナを構成する。詳細には、このアンテナの一端は、第１配線層のチップ接続端子６６ａであり、その他端は、第１配線層の内側貫通スルーホール５５ｂに接続されたチップ接続端子６６ｂとなる。ここで、層間の接続にスルーホールを利用しているが、その他、ほぼ円錐形状の導体バンプで層間絶縁層を突き破って導通をとるB2it（登録商標）と呼ばれる層間接続法を適用することも可能である。B2itによれば、全製造工程数を減らすことが可能である。また、渦巻き状の上記したアンテナパターン６２、７２、８２、９２は、アンテナの一端から各アンテナパターンの接続関係に沿って辿ったときに、渦巻きの旋回方向が同じ向き（例えば、時計回りなら時計回り、反時計回りなら反時計回り）になるように形成されている。すなわち、一定の方向の磁界を受けたときに発生する電流を打ち消しあわない向きで、各アンテナパターンが形成されている。また、図３に示すように、アンテナパターン６２、９２は、ソルダーレジスト５８で覆われている。
【００３３】
ＩＣチップ２は、チップ搭載パッド６５の上に接着剤で固定されている。ＩＣチップ２の電極端子５３ａ、５３ｂは、低背ワイヤ５４ａ、５４ｂを介してチップ接続端子６６ａ、６６ｂにそれぞれ接続されている。チップ接続端子６６ｂは、配線６２ｃを介してスルーホール５５ｂに接続されている。また、ＩＣチップ２やその電極端子５３ａ、５３ｂなどは封止樹脂５７で封止されている。
【００３４】
ここで、ＩＣチップ２は、図示を省略した読み出し専用メモリ（ＲＯＭ）、ランダムアクセスメモリ（ＲＡＭ）、ロジック回路、中央演算処理装置（ＣＰＵ）から主に構成されている。ＣＰＵでは、ＲＯＭやＲＡＭに格納されたプログラムやデータなどを用いてリーダライタとの通信制御や応答処理など各種の演算処理を実行する。また、ＲＯＭには、非接触データキャリア６の製造時に、個々の非接触データキャリア６に固有に付与された識別情報であるタグ識別コードが記憶され、このタグ識別コードは書き換え不能となっている。また、ＩＣチップ２には、電源バックアップ不要で且つ書き換え可能な記憶回路である不揮発性メモリや無線交信のための通信制御回路であるＲＦ回路の他、コンデンサなども搭載されている。このように構成された非接触データキャリア６は、例えばアンテナパターン９２の配線された側が、図１に示すように非接触データキャリア担持体３の上面に接着剤などで接合される。
【００３５】
アンテナパターン６２、７２、８２、９２のパターン表面と直交する方向からみた非接触データキャリア６の外形サイズは、例えば１０ｍｍ×１０ｍｍ以下のサイズ、具体的には、例えば５ｍｍ×５ｍｍのサイズである。また、非接触データキャリア６の形状としては、正方形、ほぼ正方形、長方形、ほぼ長方形、円形、楕円等、種々の形状が例示され、また、それ以外の形状で構成されていてもよい。
【００３６】
次に、図１に示した非接触データキャリア装置１の使用方法について図４〜６を用いて説明する。図４は、図１に示した非接触データキャリア装置１の構成の一例を模式的に示す側断面図である。図５〜６は、図１に示した非接触データキャリア装置１を取り付けて使用した状態を示す図である。なお、図４〜図６において、すでに説明した構成要素と同一の部分には、同一の符号を付してその説明を簡略または省略する。
【００３７】
図４に示すように、非接触データキャリア担持体３の貫通穴４は、例えばポリアミド樹脂等の可撓性を有する合成樹脂から構成される結束バンド１０のバンド部８を挿通することができ、さらには挿通後の脱落を防止可能な構成を備えている。この構成によれば、結束バンド１０で物品を結束した後であっても、容易かつ確実に非接触データキャリア装置１を付設することができる。
【００３８】
貫通穴４の内壁の一面には、バンド部８を挿通方向Ｙ２（図１中の貫通方向Ｙ１⇔Ｙ２のＹ２方向）の一方向に挿通させるための爪部７が設けられている。爪部７は、バンド部８の一端を貫通穴４に挿入すると、その弾性により挿通方向Ｙ２に一時的に撓んで傾斜変形し、爪部７の先端部でバンド部８表面を押さえつけてこれを安定に保持する。また、挿通方向Ｙ２の逆方向（図１中のＹ１方向）にバンド部８を進行させようとすると、爪部７がバンド部８上面に設けられた突条部９に衝突して逆方向の進行を妨げる。爪部７は、貫通穴４の内壁面に複数設けられていてもよい。なお、バンド部８は、結束対象物を結束可能な長さを有し機械的強度に優れていればよく、結束紐、ロープ等の場合でも爪部７との作用により、逆方向への進行を防止することができる。貫通穴４が、このような構成を備えることで、結束バンド１０で物品を結束した後であっても、容易かつ確実に非接触データキャリア装置１を付設することができ、付設後も脱落を防止することができる。
【００３９】
本実施形態の非接触データキャリア装置１を取り付けて使用した状態としては、図５と図６（ａ）に示すような形態が考えられる。
【００４０】
図５に示すように、バンド部８の一方の端部に係止部１１を設けた結束バンド１０にて結束対象物１２を結束した結束体４０に、非接触データキャリア装置１が付設されている。結束体４０への該装置１の付設方法としては、まず、結束対象物１２を束ね、結束バンド１０でこれを結束した後、非接触データキャリア装置１の貫通穴４に開放端部８ａを挿通する。この場合、非接触データキャリア装置１の脱落を防ぐため、該装置１が一方向（係止部１１側）に進行し、逆方向（開放端部８ａ側）には進行しない向きに開放端部８ａを貫通穴４に挿通させる必要がある。具体的には、図４に示すような、貫通穴４に爪部７を備えた非接触データキャリア装置１と、突条部９を有するバンド部８を備えた周知の結束バンド１０とを用意しておき、開放端部８ａを挿通方向Ｙ２に挿通させる。結束を解除する場合には、図５に示す破線でバンド部８を切断することで、非接触データキャリア装置１を取り外し再利用することができる。このように物品を結束バンド１０で結束した後でも非接触データキャリア装置１を取り付けることができるため、作業性の向上を可能にする。
【００４１】
また、図６（ａ）に示すように、非接触データキャリア装置１を使用することもできる。この非接触データキャリア装置１には、２つの貫通穴４ｍ、４ｎが設けられている。
図６（ａ）に示すように、取り付け対象物１９に設けた穴に結束紐２１を通し、結束紐２１の両端を非接触データキャリア装置１の貫通穴４ｍ、４ｎに挿通させている。このような場合にも、非接触データキャリア装置１の脱落を防ぐため、一方向（取り付け対象物１９側）に該装置１が進行し、逆方向（結束紐２１の端部側）には進行しない向きに結束紐２１の両端を該装置１の貫通穴４ｍ、４ｎに挿通させる必要がある。結束を解除する場合には、図６（ａ）に示す破線で結束紐２１を切断すれば、非接触データキャリア装置１を取り外して再利用することができる。なお、結束紐２１の両端を２つの貫通穴４ｍ、４ｎに挿通したが、いずれか一方の１つの貫通穴にまとめて挿通することもできる。また、非接触データキャリア担持体３の構造としては、図６（ｂ）に示すように脱着自在な蓋体３１を設け、貫通穴４ｍ、４ｎを溝状に露出する構造とすることもできる。このような構造によれば、結束紐２１を貫通穴４ｍ、４ｎに挿通する代わりに、結束紐２１を貫通穴４ｍ、４ｎの溝に沿わせて押し込んだ後、蓋体３１を閉めれば、結果として結束紐２１を挿通した状態が得られる。さらに、図６（ｃ）に示すように、爪部７を貫通穴４ｍ、４ｎの側壁に設ける代わりに、貫通穴４ｍ、４ｎの蓋体３１と対向する側の壁面に凸状部７１を設け、結束紐２１を溝部に押し込んだ後、蓋体３１を閉め、蓋体３１と前記凸状部７１により結束紐２１を挟んで固定する構造として結束紐２１を固定しても良い。
【００４２】
本実施形態の非接触データキャリア装置１によれば、例えば結束バンド１０のバンド部８などを挿通可能な貫通穴４を有しており、この貫通穴４には脱落防止用の爪部７が設けられている。このため、結束バンド１０や結束紐２１などで物品を結束した後であっても、容易かつ確実に取り付けることができ、取り付けた後も脱落防止を可能とする。この非接触データキャリア装置１は、取り付けられた結束バンド１０や結束紐２１を切断すれば、非接触データキャリア装置１の再利用が可能になる。また、貫通穴４と非接触データキャリア６とを上述した位置関係にすることで、実際の使用状態においてアンテナパターンへの電磁波の照射角度をほぼ垂直にでき、通信性能を確保することができる。なお、図１、図４における非接触データキャリア６の底面（取り付け対象物側のアンテナ面）と非接触データキャリア担持体３の底面との間隔は、１．５ｍｍ以上である。非接触データキャリア装置１の底面には、貫通穴４に挿通されたバンド部８等で結束された結束対象物が接するため、結束対象物が金属などから構成される場合には、通信性能の劣化を防止できる。
【００４３】
次に、本発明の別の実施形態に係る非接触データキャリア装置について図７を参照して説明する。図７は、本発明の別の実施形態に係る非接触データキャリア装置１Ａの構成を模式的に示す斜視図である。図１に示す形態と同様に、貫通穴４には爪部（不図示）が設けられており、貫通穴４の貫通方向と非接触データキャリア６のアンテナ面がほぼ平行になるように非接触データキャリア６が非接触データキャリア担持体３に担持されているが、非接触データキャリア６が非接触データキャリア担持体３内部に担持されている点が異なる。なお、すでに説明した構成要素と同一の部分には、同一の符号を付してその説明を簡略又は省略する。
【００４４】
図７に示すように、非接触データキャリア６は非接触データキャリア担持体３内部に設けることもできる。非接触データキャリア６は、非接触データキャリア担持体３の製造時に、この非接触データキャリア担持体３の型の中にインサートされ合成樹脂による射出成形等で一体成形される。
【００４５】
この実施形態の非接触データキャリア装置１Ａによれば、非接触データキャリア６を非接触データキャリア担持体３内部に担持させた態様でも、図１に示す形態と同様に、例えば結束バンドや結束紐などで物品を結束した後であっても、容易かつ確実に取り付けることができ、取り付けた後も再利用が可能である。また、通信性能を確保することができ、射出成形などにより一体成形することで製造工程を減らすこともできる。なお、上述したように、図７における非接触データキャリア装置１Ａの底面には金属等から構成される結束対象物が接触するため、非接触データキャリア６の底面と非接触データキャリア担持体３底面とは１．５ｍｍ以上の距離を有していることが好ましい。
【００４６】
次に、本発明のさらに別の実施形態に係る非接触データキャリア装置について図８を参照して説明する。図８は、本発明のさらに別の実施形態に係る非接触データキャリア装置１Ｂの構成を模式的に示す斜視図である。図７に示す形態と同様に、貫通穴４には爪部（不図示）が設けられ、非接触データキャリア６が非接触データキャリア担持体３の内部に担持されているが、さらに軟磁性体層１３が設けられている点が異なる。なお、すでに説明した構成要素と同一の部分には、同一の符号を付してその説明を簡略又は省略する。
【００４７】
図８に示すように、軟磁性体層１３は、非接触データキャリア６とともに非接触データキャリア担持体３の内部に設けられている。図７に示す形態と同様に、非接触データキャリア担持体３の製造時に射出成形等で一体成形される。軟磁性体層１３の厚さは、例えば０．５ｍｍ〜１．０ｍｍ程度とすることが好ましい。非接触データキャリア６と軟磁性体層１３との間の距離（最短距離）は１ｍｍ以上となるようにする。このとき、非接触データキャリア６と軟磁性体層１３との間に、厚さ１ｍｍ以上のスペーサーを用いて両者の距離を調整してもよい。
【００４８】
この実施形態の非接触データキャリア装置１Ｂによれば、上記各実施形態と同様に、例えば結束バンドや結束紐などで物品を結束した後であっても、容易かつ確実に取り付けることができ、取り付けた後も再利用が可能である。また、非接触データキャリア６と軟磁性材料層１３との間に所定の距離をもつことによって、結束対象物が導電体から構成されていても、通信時における結束対象物側での渦電流の発生が防止され、非接触データキャリア装置１Ｂ側とリーダライタ側（不図示）との良好な通信を実現することができる。
【００４９】
次に、本発明のさらに別の実施形態に係る非接触データキャリア装置について図９を参照して説明する。図９は、本発明のさらに別の実施形態に係る非接触データキャリア装置１Ｃの構成を模式的に示す斜視図である。図７に示す形態と同様に、貫通穴４には爪部（不図示）が設けられ、非接触データキャリア６が非接触データキャリア担持体３の内部に担持されているが、複数の貫通穴４ａ、４ｂ、４ｃが設けられている点が異なる。なお、すでに説明した構成要素と同一の部分には、同一の符号を付してその説明を簡略又は省略する。
【００５０】
図９に示すように、複数の貫通穴４ａ、４ｂ、４ｃは、互いの貫通方向がほぼ平行な位置関係にある。また、これら貫通穴４ａ〜４ｃの開口面（矩形状断面）の長辺もそれぞれ平行であり、長辺の長さが非接触データキャリア装置１Ｃの底面側から順に長くなるように設けられている。なお、複数の貫通穴４ａ、４ｂ、４ｃは、互いの貫通方向がほぼ平行な位置関係であればよく、その矩形状断面の長辺の長さが非接触データキャリア装置１Ｃの底面側から順に短くなるように設けてもよく、矩形状断面の長辺の長さ順でなくてもよい。また、図１０に示すように、非接触データキャリア６を挟むようにして貫通穴４ｂ、４ｃを設けることもできる。
【００５１】
この実施形態の非接触データキャリア装置１Ｃによれば、上記各実施形態と同様に、例えば結束バンドや結束紐などで物品を結束した後であっても、容易かつ確実に取り付けることができ、取り付けた後も再利用が可能である。また、複数の貫通穴４ａ、４ｂ、４ｃを備えているため、例えばバンド幅の異なる各種結束バンド等に適用することができる。このような複数の貫通穴４ａ〜４ｃを設ける形態は、図１、図８に示した実施形態でも同様に適用可能である。
【００５２】
次に、本発明のさらに別の実施形態に係る非接触データキャリア装置について図１１を参照して説明する。図１１は、本発明のさらに別の実施形態に係る非接触データキャリア装置１Ｄの構成を模式的に示す斜視図である。図７に示す形態と同様に、貫通穴４には爪部（不図示）が設けられ、非接触データキャリア６が非接触データキャリア担持体３の内部に担持されているが、非接触データキャリア６が非接触データキャリア担持体３の突起部３ａに設けられている点が異なる。なお、すでに説明した構成要素と同一の部分には、同一の符号を付してその説明を簡略又は省略する。
【００５３】
図１１に示すように、非接触データキャリア担持体３は、非接触データキャリア６が担持された突起部３ａを有している。突起部３ａは、図１１における非接触データキャリア担持体３の上面と同一平面上に位置し、この上面から横方向にずらした位置にある。また、突起部３ａは、この突起部３ａに担持される非接触データキャリア６と貫通穴４とが上述した位置関係を有し、結束する際に貫通穴４に挿通される例えば結束バンドのバンド部や、この結束バンドで結束される結束対象物に衝突しない位置であればよい。このような突起部３ａを有する非接触データキャリア担持体３は、射出成形等により一体成形される。
【００５４】
この実施形態の非接触データキャリア装置１Ｄによれば、上記各実施形態と同様に、例えば結束バンドや結束紐などで物品を結束した後であっても、容易かつ確実に取り付けることができ、取り付けた後も再利用が可能である。また、非接触データキャリア担持体３の突起部３ａに非接触データキャリア６を配置することで、非接触データキャリア装置１Ｄの形状設計の自由度が高まる。このような突起部３ａに非接触データキャリア６を設ける形態は、図８、図９に示した実施形態でも同様に適用可能である。
【００５５】
次に、本発明のさらに別の実施形態に係る非接触データキャリア装置について図１２を参照して説明する。図１２は、本発明のさらに別の実施形態に係る非接触データキャリア装置１Ｅの構成を模式的に示す斜視図である。図１１に示す形態と同様に、貫通穴４には爪部（不図示）が設けられ、非接触データキャリア６が非接触データキャリア担持体３の突起部３ｂ内に担持されているが、貫通穴４の貫通方向と、非接触データキャリア６のアンテナ面がほぼ垂直になるように突起部３ｂに担持されている点が異なる。なお、すでに説明した構成要素と同一の部分には、同一の符号を付してその説明を簡略又は省略する。
【００５６】
図１２に示すように、非接触データキャリア担持体３は、貫通穴４と、非接触データキャリア６が担持された突起部３ｂとを有している。非接触データキャリア６は、貫通穴４の貫通方向と非接触データキャリア６のアンテナ面が、ほぼ垂直になるよう突起部３ｂ内に担持されている。この場合には、非接触データキャリア装置１Ｅの側面側からリーダライタを近接させて非接触データキャリア装置１Ｅへのアクセスを行う構成となる。
【００５７】
この実施形態の非接触データキャリア装置１Ｅによれば、上記実施形態と同様に、例えば結束バンドや結束紐などで物品を結束した後であっても、容易かつ確実に取り付けることができ、取り付けた後も再利用が可能である。また、貫通穴４と非接触データキャリア６とを上記した位置関係にすることで、非接触データキャリア６の姿勢を一定化して通信性能を確保することができる。このような形態は、図８に示すような軟磁性材料層１３を設ける形態、または図９に示すような複数の貫通穴４ａ〜４ｃを設ける形態と併用することも可能である。
【００５８】
次に、本発明のさらに別の実施形態に係る非接触データキャリア装置について図１３を参照して説明する。図１３は、本発明のさらに別の実施形態に係る非接触データキャリア装置１Ｆの構成を模式的に示す斜視図である。図１２に示す形態と同様に、貫通穴４には爪部（不図示）が設けられ、貫通穴４の貫通方向に対する垂直断面形状（通常、長方形）の長軸方向と非接触データキャリア６のアンテナ面がほぼ垂直になるように非接触データキャリア担持体３に担持されているが、図１２のような突起部３ｂを具備しない点が異なる。なお、すでに説明した構成要素と同一の部分には、同一の符号を付してその説明を簡略又は省略する。
【００５９】
図１３に示すように、非接触データキャリア６は非接触データキャリア担持体３の内部に担持されている。このとき、非接触データキャリア６と貫通穴４とが上記位置関係を有していればよく、必要に応じて非接触データキャリア担持体３の側面に接着剤などで基板５を固定してもよい。
【００６０】
この実施形態の非接触データキャリア装置１Ｆによれば、上記実施形態と同様に、例えば結束バンドや結束紐などで物品を結束した後であっても、容易かつ確実に取り付けることができ、取り付けた後も再利用が可能である。また、非接触データキャリア６の非接触データキャリア担持体３への取り付け位置を選択でき、設計の自由度を高めることができる。このような形態は、図９に示すような複数の貫通穴４ａ〜４ｃを設ける形態と併用することも可能である。
【００６１】
次に、本発明のさらに別の実施形態に係る非接触データキャリア装置について図１４を参照して説明する。図１４は、本発明のさらに別の実施形態に係る非接触データキャリア装置１Ｐの構成を模式的に示す斜視図である。図７に示す形態と同様に、貫通穴４には爪部（不図示）が設けられ、非接触データキャリア６は非接触データキャリア担持体３の内部に担持されているが、複数の貫通穴４ｄ、４e、４ｆ、４ｇが設けられている点が異なる。なお、すでに説明した構成要素と同一の部分には、同一の符号を付してその説明を簡略又は省略する。
【００６２】
図１４に示すように、非接触データキャリア担持体３には、複数の貫通穴４ｄ、４ｅ、４ｆ、４ｇが設けられている。複数の貫通穴４ｄ、４e、４ｆ、４ｇは、互いの貫通方向がほぼ平行な位置関係にあり、その矩形状断面の長辺の長さはそれぞれ異なる。複数の貫通穴４ｄ、４ｅ、４ｆ、４ｇは、非接触データキャリア６のアンテナ面と平行に、かつ、その周囲に配置されている。なお、貫通穴４ｄ〜４ｇと非接触データキャリア６とがこのような位置関係を有する形態としては、図１５に示すような形態でもよい。図１５中、矩形状断面の長辺が同じ長さを有する貫通穴には、同一の符号を付す。
【００６３】
この実施形態の非接触データキャリア装置１Ｐによれば、上記各実施形態と同様に、例えば結束バンドや結束紐などで物品を結束した後であっても、容易かつ確実に取り付けることができ、取り付けた後も再利用が可能である。また、例えばバンド幅の異なる各種結束バンド等に適用することが可能であり、非接触データキャリア６と貫通穴４ｄ〜４ｇとが上述した位置関係を有するため非接触データキャリア装置１Ｐを取り付け対象物に取り付ける際の自由度を高めることができる。
【００６４】
次に、本発明のさらに別の実施形態に係る非接触データキャリア装置について図１６を参照して説明する。図１６は、本発明のさらに別の実施形態に係る非接触データキャリア装置１Ｇの構成を模式的に示す斜視図である。上述した形態と同様に、非接触データキャリア担持体３には非接触データキャリア６が担持され、爪部を有する貫通穴４が設けられているが、非接触データキャリア６と貫通穴４とがそれぞれ別の部材に設けられ、両部材が可動な関係で結合されている点が異なる。すでに説明した構成要素と同一の部分には、同一の符号を付してその説明を簡略又は省略する。
【００６５】
図１６に示すように、非接触データキャリア担持体３は、貫通穴４を有する部材３２と、非接触データキャリア６が担持された部材３１とを有している。貫通穴４は、上記実施形態と同様に、その向かい合う２つの側面を貫通方向に貫き矩形状断面の開口面を有する。貫通穴４は複数設けてもよく、その断面形状も矩形状に限定されるものではない。この貫通穴４を有する部材３２は、その上面と同一平面上に円弧状の連結部３０を備えている。連結部３０には、非接触データキャリア６が担持された部材３１が可動可能な状態で連結されている。貫通穴４を有する部材３２と、非接触データキャリア６が設けられた部材３１とは、同一の材料でも異なる材料から構成されていてもよい。
【００６６】
この実施形態の非接触データキャリア装置１Ｇによれば、上記各実施形態と同様に、例えば結束バンドや結束紐などで物品を結束した後であっても、容易かつ確実に取り付けることができ、取り付けた後も再利用が可能である。また、非接触データキャリア６と貫通穴４とをそれぞれ別の部材に設けることで、非接触データキャリア６の姿勢を制限せずに通信性能を確保できる。このような非接触データキャリア６と貫通穴４とを別の部材に設ける形態は、図８に示すような軟磁性材料層１３を設ける形態、または図９に示すような複数の貫通穴４ａ〜４ｃを設ける形態と併用することも可能である。
【００６７】
次に、本発明のさらに別の実施形態に係る非接触データキャリア装置について図１７を参照して説明する。図１７は、本発明のさらに別の実施形態に係る非接触データキャリア装置１Ｈの構成を模式的に示す断面図である。図１に示した形態と同様に、貫通穴４の貫通方向と非接触データキャリア６のアンテナ面がほぼ平行になるように、非接触データキャリア６が非接触データキャリア担持体３に担持され、貫通穴４には爪部（不図示）が設けられているが、非接触データキャリア担持体３に対して非接触データキャリア６が着脱可能な点が異なる。なお、すでに説明した構成要素と同一の部分には、同一の符号を付してその説明を簡略又は省略する。
【００６８】
図１７に示すように、非接触データキャリア担持体３は、貫通穴４と、非接触データキャリア６を保持する凹状の保持部（凹部）２０とを有する。保持部２０には、一対の爪部７（凸部）が設けられている。この保持部２０は、非接触データキャリア６を非接触データキャリア担持体３の内部に収容するための空隙部分として形成されている。一対の爪部７を一時的に撓ませるようにして、非接触データキャリア６がその上面側から保持部２０内に装着される。
【００６９】
この実施形態の非接触データキャリア装置１Ｈによれば、上記各実施形態と同様に、例えば結束バンドや結束紐などで物品を結束した後であっても、容易かつ確実に取り付けることができ、取り付けた後も再利用が可能である。また、凹状の保持部２０に非接触データキャリア６が担持されているため、その姿勢を一定化し通信性能を確保できる。さらに、この保持部２０に爪部７を設けることで、非接触データキャリア６の紛失、脱落を防止できる。非接触データキャリア６は、機械的な嵌め込みにより非接触データキャリア担持体３に取り付けられるため、互いの接合に接着剤等が不要であり、非接触データキャリア装置１Ｈの生産性を向上させることができる。なお、上述したように、図１４における非接触データキャリア装置１Ｈの底面には金属等から構成される結束対象物が接触するため、非接触データキャリア６の底面と非接触データキャリア担持体３底面とは１．５ｍｍ以上の距離を有していることが好ましい。必要に応じて上述した軟磁性材料層１３を配置しもよい。このような非接触データキャリア担持体３に対して非接触データキャリア６が着脱可能な形態は、図８、９、１１、１２、１３、１６に示した実施形態でも同様に適用可能である。
【００７０】
次に、本発明のさらに別の実施形態に係る非接触データキャリア装置について図１８を参照して説明する。図１８は、本発明のさらに別の実施形態に係る非接触データキャリア装置１Ｊの構成を模式的に示す断面図である。図１７に示した形態と同様に、非接触データキャリア担持体３に対して非接触データキャリア６が着脱可能に設けられているが、非接触データキャリア担持体３に設けられた保持部２０の形状が異なる。なお、すでに説明した構成要素と同一の部分には、同一の符号を付してその説明を簡略又は省略する。
【００７１】
図１８に示すように、非接触データキャリア担持体３は、爪部（凸部）７を備えた保持部２０を有する。爪部７は、保持部２０の側部に設けてもよい。爪部７を一時的に撓ませるようにして、非接触データキャリア６がその端面側からスライドされ、非接触データキャリア担持体３の空隙部分である保持部２０内に収容される。非接触データキャリア装置１Ｊの再利用などの効果は、図１７に示す形態と同様である。
【００７２】
次に、本発明のさらに別の実施形態に係る非接触データキャリア装置について図１９を参照して説明する。図１９は、本発明のさらに別の実施形態に係る非接触データキャリア装置１Ｋの構成を模式的に示す斜視図である。図７に示した形態と同様に、貫通穴４Ａと非接触データキャリア６とが上記位置関係を有しているが、非接触データキャリア担持体３Ａが弾性変形する材料から構成される点が異なる。なお、すでに説明した構成要素と同一の部分には、同一の符号を付してその説明を簡略又は省略する。
【００７３】
図１９（ａ）に示すように、貫通穴４Ａの断面形状はほぼ円形状である。また、この貫通穴４Ａを有する非接触データキャリア担持体３Ａは、例えばポリエチレン、ポリプロピレン、ポリスチレン、塩化ビニル、ＡＢＳ樹脂、ポリカーボネート樹脂等の弾性変形が可能な合成樹脂及び、ゴムなどの軟質材料、例えばシリコーンゴム、フッ素ゴム、クロロプレンゴム、ブタジエンゴムなどから構成されている。非接触データキャリア担持体３Ａの上面を押圧方向１６に押圧して弾性変形させると、貫通穴４Ａの断面形状はほぼ円形状から楕円形状に変形する（図１９（ｂ））。このような貫通穴４Ａに挿通される結束バンド等の棒状体、または紐、ロープ等の糸状体としては、非接触データキャリア担持体３Ａが弾性変形しその貫通穴４Ａの断面形状が楕円形状である時に挿入可能であり、非接触データキャリア担持体３Ａの弾性変形が解除されその貫通穴４Ａがほぼ円形状に戻ったときには挿入不可能な形状を有している必要がある。例えば、図１９（ｂ）に示すような平たい形状を有する棒状体１５ａ、又は端部に平たい形状の引っ掛け部１５ｂを有する棒状体もしくは糸状体などが挙げられる。
【００７４】
平たい形状を有する棒状体１５ａを使用する場合には、非接触データキャリア担持体３Ａを押圧方向１６に押圧してこの棒状体１５ａを貫通穴４Ａに挿通し、棒状体１５ａの所望の位置で非接触データキャリア担持体３Ａへの押圧を解除することで、貫通穴４Ａ内で棒状体１５ａの一部が押さえつけられるため、逆向きの進行を防止でき、さらには非接触データキャリア装置１Ｋの取り付け位置が調整できる。
【００７５】
一方、平たい形状の引っ掛け部１５ｂを有する棒状体（又は糸状体）の場合には、非接触データキャリア担持体３Ａを押圧方向１６に押圧して、この引っ掛け部１５ｂを有する棒状体（又は糸状体）を貫通穴４Ａに挿通して非接触データキャリア担持体３Ａへの押圧を解除する。押圧が解除されると、貫通穴４Ａの断面形状が円形状に戻るため、挿通方向Ｙ２の逆向きへ棒状体を進行させると、引っ掛け部１５が非接触データキャリア担持体３Ａの側面に押し付けられ、非接触データキャリア装置１Ｋの脱落が防止できる。
【００７６】
この実施形態の非接触データキャリア装置１Ｋによれば、貫通穴４Ａを有する非接触データキャリア担持体３Ａの弾性変形を利用することで、挿通方向Ｙ２の逆向きの進行を抑制し非接触データキャリア装置１Ｋの脱落を防止することができる。よって、上記各実施形態と同様に、例えば結束バンドや結束紐などで物品を結束した後であっても、容易かつ確実に取り付けることができ、取り付けた後も再利用が可能である。このような略円形の貫通穴４Ａを有する非接触データキャリア担持体３Ａに弾性変形する材料を利用する形態は、図１、図８〜１８に示した形態と併用することも可能である。
【００７７】
次に、本発明のさらに別の実施形態に係る非接触データキャリア装置について図２０を参照して説明する。図２０は、本発明のさらに別の実施形態に係る非接触データキャリア装置１Ｌの構成を模式的に示す斜視図である。図１９に示した形態と同様に、非接触データキャリア担持体３Ｂが弾性変形する素材から構成されているが、貫通穴４Ｂの断面形状が異なる。なお、すでに説明した構成要素と同一の部分には、同一の符号を付してその説明を簡略又は省略する。
【００７８】
図２０（ａ）に示すように貫通穴４Ｂの断面形状は楕円形状でもよい。この場合には、非接触データキャリア担持体３Ｂの両側側面を押圧方向１６に押圧して、貫通穴４Ｂの断面形状を楕円形状からほぼ円形状に変形させる（図２０（ｂ））。このような貫通穴４Ｂに挿通される結束バンド等の棒状体、または紐、ロープ等の糸状体としては、非接触データキャリア担持体３Ｂが弾性変形しその貫通穴４Ｂの断面形状がほぼ円形状である時に挿入可能であり、非接触データキャリア担持体３Ｂの弾性変形が解除されその貫通穴４Ｂが楕円形状に戻ったときには挿入不可能な形状を有している必要がある。例えば、図２０（ｂ）に示すようなほぼ円柱状を有する棒状体１５ｃ、又は端部に球形状の引っ掛け部１５ｄを有する棒状体もしくは糸状体などが挙げられる。
【００７９】
この実施形態の非接触データキャリア装置１Ｌによれば、貫通穴４Ｂの断面形状が楕円状である態様でも、図１９に示す形態と同様の効果が得られる。
【００８０】
次に、本発明のさらに別の実施形態に係る非接触データキャリア装置について図２１を参照して説明する。図２１は、本発明のさらに別の実施形態に係る非接触データキャリア装置１Ｍの構成を模式的に示す側断面図である。図１に示した形態と同様に、貫通穴４と非接触データキャリア６とが上記位置関係を有しているが、貫通穴４にベアリング１７のような球状体が設けられている点が異なる。なお、すでに説明した構成要素と同一の部分には、同一の符号を付してその説明を簡略又は省略する。
【００８１】
図２１に示すように、非接触データキャリア担持体３の貫通穴４には、例えば結束バンドのバンド部１８等の棒状体が挿通されている。貫通穴４は、バンド部１８の挿通方向Ｙ２に向けて漸次傾斜した傾斜部２５を有する。傾斜部２５には、ベアリング１７が配置されている。挿通方向Ｙ２とは逆向きへ引き抜こうとすると、バンド部１８表面がベアリング１７に押さえつけられるため引き抜き難くなる。なお、ここでは、バンド部１８のような可撓性を有する棒状体を用いて説明したが、紐、ロープのような糸状体の場合でも、逆方向への進行を防止する態様になり得る。
【００８２】
この実施形態の非接触データキャリア装置１Ｍによれば、貫通穴４にベアリング１７等の球状体を設けることで、非接触データキャリア装置１Ｍの逆方向への進行を妨げ、脱落を防止できる。よって、上記各実施形態と同様に、例えば結束バンドや結束紐などへ容易かつ確実に取り付けることができ、取り付けても再利用が可能である。また、貫通穴４と非接触データキャリア６とを上記位置関係にすることで、通信性能を確保した上で非接触データキャリア装置１Ｍを再利用できる。このようなベアリング１７の付加による脱落防止は、図７〜２０に示した実施形態でも同様に適用可能である。なお、球状体の材質としては、金属球等の硬質なもの以外にも、ゴム製の弾力を有する材質も使用することができる。ゴム製の球状体は、表面の摩擦が大きい点で脱落を防ぐ効果が大きく、好適である。また、円柱体も球状体と同様の脱落防止の効果を奏する。
【００８３】
次に、本発明のさらに別の実施形態に係る非接触データキャリア装置について図２２を参照して説明する。図２２は、本発明のさらに別の実施形態に係る非接触データキャリア装置１Ｎの構成を模式的に示す側断面図である。図２１に示した形態と同様に、貫通穴４にベアリング１７が設けられているが、ベアリング１７の個数が異なる。なお、すでに説明した構成要素と同一の部分には、同一の符号を付してその説明を簡略又は省略する。
【００８４】
図２２に示すように、ベアリング１７を複数設けてもよい。貫通穴４の内壁面は、貫通方向６に向けて漸次傾斜した一対の傾斜部２５を有し、傾斜部２５にはそれぞれベアリング１７が設けられている。
【００８５】
この実施形態の非接触データキャリア装置１Ｎによれば、ベアリング１７のような球状体を複数設けた態様でも、図２１に示す形態と同様の効果が得られる。
【００８６】
なお、上述した実施形態では、非接触データキャリア６を構成する基板５として、硬質の基板を用いて説明したが、これに限定されるものではなく、例えば合成樹脂などで構成される軟質のシート状、フィルム状のものも使用することができる。
【図面の簡単な説明】
【００８７】
【図１】本発明の一実施形態に係る非接触データキャリア装置の構成を模式的に示す斜視図。
【図２】図１に示した非接触データキャリアの構造の一例を示す分解斜視図。
【図３】図２に示した非接触データキャリアの断面図。
【図４】図１に示した非接触データキャリア装置１の構成の一例を模式的に示す側断面図。
【図５】図１に示す非接触データキャリア装置１を取り付けて使用した状態の一例を示す図。
【図６】図１に示す非接触データキャリア装置１を取り付けて使用した状態の別の一例を示す図（図６（ａ））と、図６（ａ）に示す非接触データキャリア担持体３の構造の一例を模式的に示す斜視図（図６（ｂ））と、図６（ａ）に示す非接触データキャリア担持体３の構造の別の一例を模式的に示す斜視図（図６（ｃ））。
【図７】本発明の別の実施形態に係る非接触データキャリア装置の構成を模式的に示す斜視図。
【図８】本発明のさらに別の実施形態に係る非接触データキャリア装置の構成を模式的に示す斜視図。
【図９】本発明のさらに別の実施形態に係る非接触データキャリア装置の構成を模式的に示す斜視図。
【図１０】図９に示した非接触データキャリア装置１Ｃの変形例を模式的に示す斜視図。
【図１１】本発明のさらに別の実施形態に係る非接触データキャリア装置の構成を模式的に示す斜視図。
【図１２】本発明のさらに別の実施形態に係る非接触データキャリア装置の構成を模式的に示す斜視図。
【図１３】本発明のさらに別の実施形態に係る非接触データキャリア装置の構成を模式的に示す斜視図。
【図１４】本発明のさらに別の実施形態に係る非接触データキャリア装置の構成を模式的に示す斜視図。
【図１５】図１４に示した非接触データキャリア装置１Ｐの変形例を模式的に示す斜視図。
【図１６】本発明のさらに別の実施形態に係る非接触データキャリア装置の構成を模式的に示す斜視図。
【図１７】本発明のさらに別の実施形態に係る非接触データキャリア装置の構成を模式的に示す断面図。
【図１８】本発明のさらに別の実施形態に係る非接触データキャリア装置の構成を模式的に示す断面図。
【図１９】本発明のさらに別の実施形態に係る非接触データキャリア装置の構成を模式的に示す斜視図。
【図２０】本発明のさらに別の実施形態に係る非接触データキャリア装置の構成を模式的に示す斜視図。
【図２１】本発明のさらに別の実施形態に係る非接触データキャリア装置の構成を模式的に示す側断面図。
【図２２】本発明のさらに別の実施形態に係る非接触データキャリア装置の構成を模式的に示す側断面図。
【符号の説明】
【００８８】
１，１Ａ〜１Ｒ…非接触データキャリア装置、２…ＩＣチップ、３，３Ａ，３Ｂ…非接触データキャリア担持体、３ａ，３ｂ…突起部、４，４ａ〜４ｊ，４ｍ〜４ｎ，４Ａ，４Ｂ…貫通穴、５…基板、６…非接触データキャリア、７…爪部、７１…凸状部、８，１８…バンド部、８ａ…開放端部、９…突条、１０…結束バンド、１１…係止部、１２…結束対象物、１３…軟磁性材料層、１５ｂ，１５ｄ…引っ掛け部、１７…ベアリング、１９…取り付け対象物、２０…保持部、２１…結束紐、２５…傾斜部、３０…連結部、３１…蓋体、４０…結束体、５４ａ，５４ｂ…低背ワイヤ、５５ａ，５５ｂ，５６ａ，５６ｂ…貫通スルーホール、５７…封止樹脂、５８…ソルダーレジスト、６０，７０，８０，９０…単位アンテナ基板、６２，７２，８２，９２…アンテナパターン、６２ｃ…配線、６４，７４，８４，９４…外側接続端子、６６a，７３，８３，９３…内側接続端子。
【図１】
2008021080.tif 000003
【図２】
2008021080.tif 000004
【図３】
2008021080.tif 000005
【図４】
2008021080.tif 000006
【図５】
2008021080.tif 000007
【図６】
2008021080.tif 000008
【図７】
2008021080.tif 000009
【図８】
2008021080.tif 000010
【図９】
2008021080.tif 000011
【図１０】
2008021080.tif 000012
【図１１】
2008021080.tif 000013
【図１２】
2008021080.tif 000014
【図１３】
2008021080.tif 000015
【図１４】
2008021080.tif 000016
【図１５】
2008021080.tif 000017
【図１６】
2008021080.tif 000018
【図１７】
2008021080.tif 000019
【図１８】
2008021080.tif 000020
【図１９】
2008021080.tif 000021
【図２０】
2008021080.tif 000022
【図２１】
2008021080.tif 000023
【図２２】
2008021080.tif 000024